(57)【要約】【課題】座がフレームにネットを張った構造になっている椅子において、フレームの前端で人の大腿部が突き上げられる現象を抑制する。【手段】環状の座用フレーム４にネット５が張られている。座用フレーム３の前部３ａは、ピン７により、ベースに固定された本体部３ａに対して下向き回動可能に連結されている。例えば着座した人が足を前に伸ばすなどして座用フレーム３の前端に大腿部が当たっても、座用フレーム３の前部３ａが下向き回動することにより、人の大腿部に対する突き上げ感を防止できる。【選択図】　　　図４
2004033543.tif 000002
【特許請求の範囲】
【請求項１】
座を、環状のフレームにネット類を張った構造と成し、着座した人の身体を前記ネット類で受けるようになっている椅子であって、前記フレームの前部が下向き回動可能になっている、
椅子。
【請求項２】
前記ネット類のうち、少なくともフレームの前部の回動中心部に重なる前後位置の部分を、左右全長にわたって延びる高弾性部と成している、
請求項１に記載した椅子。
【請求項３】
前記ネット類は、平面視で前後方向に延びる縦糸群と左右方向に延びる横糸群とを絡ませた織地又は編地から成っており、このネット類のうち前記フレームの前部の回動中心線に重なる部分及びその前後両側の適宜範囲を、横糸群の密度を高くすることによって高弾性部となしている、
請求項２に記載した椅子。
【請求項４】
前記ネット類は、平面視で前後方向に延びる縦糸群と左右方向に延びる横糸群とを絡ませた織地又は編地から成っており、前記横糸群として高弾性糸を使用している、
請求項２又は請求項３に記載した椅子。
【請求項５】
背もたれを、環状のフレームにネット類を張った構造と成し、着座した人の背もたれ荷重を前記ネットで受けるようになっている椅子であって、前記フレームの上部又は下部若しくは上下両部部位が後傾動可能になっている、
椅子。
【発明の詳細な説明】
【０００１】
【発明の属する技術分野】
本発明は、座又は背もたれもしくは両方をフレーム構造としてこれにネット類を張った椅子に関するものである。
【０００２】
【従来の技術】
椅子の一形態として、座や背もたれを、略四角形等の環状フレームに強靱なネットを張った構造にしたものがある。このタイプの椅子は一般にネット椅子（或いはネットチェア）と呼ばれており、通気性に優れると共にクッション性に富んでいる利点がある。
【０００３】
【発明が解決しようとする課題】
ところで、このネット椅子においては、ネットが沈み込むことによってクッション性と身体へのフィット性とが確保されるが、例えば、着座した人が足を前に伸ばしたり、逆に、足を座の下方に潜り込ませた状態で身体全体を伸ばしたりすると、人の大腿部が座用フレームの前端部で突き上げられる現象が生じることがあった。
【０００４】
また、人が着座して臀部が沈むと相対的に座用フレームの前端が上がる状態になるため、着座すること自体によって大腿部が座用フレームの前端で突き上げられる現象が生じることもあった。
【０００５】
これらの点については、座用フレームの前部とネットとの間にウレタンのようなクッションを介在させることが行われているが、クッション材による緩衝機能には限度があり、このため、着座した人が足を前に伸ばした場合のように座の前端部に強い下向き押圧力がかかった時の突き上げ感を完全に解消するには至っていないのが現状であった。
【０００６】
本発明は、このような現状を改善することを課題とするものである。
【０００７】
【課題を解決するための手段】
前記目的を達成するため、請求項１の発明では、座を、環状のフレームにネット類を張った構造と成し、着座した人の身体を前記ネット類で受けるようになっている椅子において、前記フレームの前部が下向き回動可能になっている。
【０００８】
請求項２の発明は、請求項１において、前記ネット類のうち、少なくともフレームの前部の回動中心部に重なる前後位置の部分を、左右全長にわたって延びる高弾性部と成している。
【０００９】
請求項３の発明は、請求項２において、前記ネット類は、平面視で前後方向に延びる縦糸群と左右方向に延びる横糸群とを絡ませた織地又は編地から成っており、このネット類のうち前記フレームの前部の回動中心線に重なる部分及びその前後両側の適宜範囲を、横糸群の密度を高くすることによって高弾性部となしている。
【００１０】
請求項４の発明は、請求項２又は請求項３において、前記ネット類は、平面視で前後方向に延びる縦糸群と左右方向に延びる横糸群とを絡ませた織地又は編地から成っており、前記横糸群として高弾性糸を使用している。
【００１１】
請求項５の発明は、背もたれを、環状のフレームにネット類を張った構造と成し、着座した人の背もたれ荷重を前記ネットで受けるようになっている椅子において、前記フレームの上部又は下部若しくは上下両部部位が後傾動可能になっている。
【００１２】
なお、座用フレームと背用フレームとを一連に連続した形態として、座用ネット類と背用ネット類とを一連に連続させることも可能であり、このようなフレーム及びネット類の形態も各請求項の発明に包含される。
【００１３】
また、本発明において「ネット類」とは、その周囲をフレームに固定して人の身体を支える薄状材を総称するもので、織地や編地のみでなく、縦糸群と横糸群とを交叉した状態に重ねて溶着したものや、強靱なフィルムなど、各種のものが含まれる。断面構造や厚さ、素材などに限定がないことは言うまでもない。
【００１４】
【発明の作用・効果】
請求項１の本発明によると、着座した人が足を前に伸ばしたり、或いは、着座によるネット類の沈み込みに起因して座用フレームの前端部が相対的に高くなったりすることにより、座用フレームの前端に人の大腿部が当たっても、座用フレームの前部が下向きに回動することにより、座用フレームの前端で人の大腿部が突き上げられる現象を防止又は著しく抑制できる。
【００１５】
従って、請求項１によると、ネット類を使用した椅子の利点であるクッション性をフルに確保しつつ大腿部の突き上げ現象を回避して、使用者に快適な座り心地を提供することができる。
【００１６】
ところで、座用フレームの前部は、下向きの力が解除されたら元の姿勢に戻る必要があり、この戻し手段としてばねのような別の部材を設けることも可能ではあるが、別部材を設けると組み立ての手間が増大したりコストアップしたりする問題がある。
【００１７】
これに対して請求項２のように構成すると、座用ネット類は、座用フレームの前部の回動中心線に重なる部分において沈み込むことが抑制され、いわば水平状に張った状態に保持されると共に、高弾性部の弾性が作用しているため、座用フレームの前部が下向きに回動しても、座用シートは弛むことはなく、前後方向にピンと張った状態に保持される。
【００１８】
また、座用フレームの前部の回動中心と座用ネット類との間には上下方向に若干の寸法があるため、座用フレームの前部の回動中心線に重なる部位で座用ネット類の沈み込みが防止されていると、座用フレームの前部が下向きに回動することにより、座用シートの前後長さは長くなる傾向を呈する。すなわち、座用ネット類には後方向に引っ張ろうとするテンションが作用するのであり、このテンションは高弾性部の伸びによって吸収される。
【００１９】
このように、請求項２及び請求項３のように構成すると、高弾性部の存在により、座用フレームの前部が下向き回動すると座用ネット類に前後方向のテンションが掛かるため、ばねのような戻し用の部材を設けなくとも、座用フレームの前部を元の姿勢に戻し回動させることができる。
【００２０】
なお、座用ネット類は着座した人の体圧によって前後方向にもテンションが掛かっているが、請求項２の構成の下では、座用ネット類は側面視で、その前端部が下向きに傾斜したく字状に屈曲した状態になるため、体圧によって座用ネット類に掛かったテンションは、座用フレームの前部を上向きに引き起こすように作用すると考えられる。換言すると、着座によって座用ネット類に掛かったテンションを座用フレームの前部の戻し回動に有効活用できると考えられる。
【００２１】
座用ネット類に高弾性部を設ける手段としては、例えば、座用フレームの前部の回動中心線に重なる部分を２枚重ねのような積層構造にすることも可能であるが、請求項２のように構成すると、座用ネット類は単層構造で良いため、座用フレームへの取り付けなどの組み立て作業が一層容易になる利点がある。
【００２２】
請求項３のように横糸群の密度を高くすることに代えて、またはこれに加えて、断面積の大きい糸を使用したり、単位断面積当たりの弾性強度が大きい素材糸を使用したりすることも可能であり、これらによって請求項３と同等の利点を得ることができる。
【００２３】
ネット類に横糸群と縦糸群よりなる織地又は編地を使用した場合、請求項４のように横糸群に高弾性糸を使用すると、ネット類のクッション性を向上できるのみならず、例えばその密度を高くするといったことで高弾性部を簡単に形成することができ、実用性に優れている。
【００２４】
背もたれをネット構造とした場合、ロッキング時に背用フレームの上部で背中が圧迫されることがあり得るが、請求項５のように構成すると、背用フレームの上部で背中が強く圧迫されることを抑制して、使用者に快適なロッキング状態を提供することができる。ロッキング時に背用フレームの下部が背中に当たる場合は、背用フレームの下部を後傾動するように構成したら良い。
【００２５】
【発明の実施形態】
次に、本発明の実施形態を図面に基づいて説明する。
【００２６】
（１）．第１実施形態（図１〜図６）
図１〜図４では第１実施形態を示している。図１は、座１と背もたれ２とを備えた椅子の斜視図、図２は座１の平面図、図３は要部の一部破断平面図、図４のうち（Ａ）は図３のＩＶ−ＩＶ視断面図、（Ｂ）は作用の説明図である。
【００２７】
座１及び背もたれ２とも、それぞれ環状のフレーム３，４にネット５，６を張った構造になっている。ネット５，６は、接着や溶着、或いは押さえ部材で押さえ固定するというような適当な手段でフレーム３，４に固定されている。
【００２８】
座用フレーム３のうち平面視後ろ向き開口コ字状の前部３ａと、座受け部（図示せず）に固定された平面視前向き開口コ字状の本体部３ｂとが別々に製造されており、本体部３ｂの前端と前部３ａの後端とを平面視凹凸状に形成して互いに噛み合わせて、その噛み合わせ部を水平状のピン７で連結することにより、前部３ａが下向き回動可能となるように構成している。
【００２９】
なお、座用フレーム３の前部３ａを本体部３ｂに対して下向き回動可能に連結する方法は、ピン７で連結することには限らず、蝶番で連結するなど様々の構造を採用できる。
【００３０】
ネット５，６は、椅子の正面視で左右方向に延びる横糸群８と、椅子の正面視で前後方向（背もたれ用ネット６の場合は上下方向）に延びる縦糸群９とを絡み合わせた織地又は網地からなっている。本実施形態では、横糸群７としてエラストマー系モノフィラメントのような高弾性糸を使用し、縦糸群９には非弾性糸を使用している。
【００３１】
なお、ネット５，６に高弾性糸と非弾性糸とを併用することには限らず、横糸群８及び縦糸群９とも高弾性糸を使用したり、或いは、縦糸群９にはより弾性が高い超高弾糸を使用して横糸群７には通常の高弾性糸を使用するというように（逆でも良い）、横糸群７と縦糸群９とに異なる弾性力の弾性糸を使用することも可能である。もちろん、他のの素材・性質の糸（繊維）を使用しても良い。
【００３２】
座用ネット５のうち、座用フレーム３の前部３ａの回動中心線を挟んで前後両側に広がった前寄り部５ｂは、横糸群８の織り込み密度を高くした高弾性部となしている。
【００３３】
なお、弾性力の大小は相対的なもので、特定の数値を基準にした大小ではない。例えば大人用椅子と子供用椅子とではその絶対値は相違する。座用ネット５における前寄り部５ｂを高弾性部となす場合の弾性力の具体的な目安としては、例えば、着座した人の大腿部で下向きに押圧されても左右方向に殆ど伸びない程度の弾性に設定する。
【００３４】
座用ネット５のうち前寄り部位５ｂの手前側に位置した前部５ａを、前寄り部位５ｂに連続した高弾性部と成することも可能である。また、前寄り部５ｂの後方に広がる部分５ｃのうち適当な範囲（例えば着座した人の臀部が当たる部位）を高弾性部と成すことも可能である。
【００３５】
以上の構成において、例えば、人が椅子に着座することによって座用ネット５の後部が沈み込み、そのために着座した人の大腿部が座用フレーム３の前端に当たったり、或いは、着座した人が足を前に伸ばす（投げ出す）ことによって座用フレーム３の前端に大腿部が当たったりもして、図４（Ａ）に一点差線で示すように、座用フレーム３の前部３ｂが下向きに逃げ回動することにより、大腿部が突き上げ感を受けることを防止又は著しく抑制することができる。
【００３６】
ところで、座用フレーム３の前部３ａが下向きに回動した状態での座用フレーム３の前端と後端と回動中心との距離寸法を見ると、前端から回動中心を経由して後端に至るまでの距離よりも、前端と後端との直線距離が短くなる（三角形の長辺は短辺の和よりも小さいため）。
【００３７】
このため、座用ネット５の縦糸群９だけに着目すると、座用フレーム３の前部が下向き回動すると縦糸群９は弛む傾向を呈する。従って、横糸群８の存在を捨象したら、縦糸群９は座用フレーム３の前部３ａに対する戻し回動機能は持たないことになる。
【００３８】
しかし、本実施形態のように、座用ネット５の前寄り部５ｂを高弾性部に構成すると、座用ネット３における縦糸群９が座用フレーム３における前部３ａの回動中心線に沿った部分で沈むことが防止されるため、座用フレーム３の前部３ａが下向き回動しても、縦糸群９は弛むことなくピンと張った状態に保持され、かつ、縦糸群９に横糸群８の高弾性部が絡まっていることにより、縦糸群９は常にピンと張っている。
【００３９】
しかも、ピン７の回動中心と座用ネット５との間に若干の寸法があるため、座用フレーム３の前部３ａが下向きに回動すると、図４（Ｂ）に示すように、座用フレーム３の前部３ａの後部上端と本体部３ｂの前部上端との間の前後間隔寸法ｅは僅かながら大きくなり、このため、座用フレーム３の前部３ａの下向き回動によって縦糸群９は前後方向に引き延ばすテンションが掛かる。
【００４０】
そして、この縦糸群９に働いたテンションは主として横糸群８の高密度部が伸びることによって吸収され、この横糸群８における高密度部の伸び（すなわち弾性復元力）により、座用フレーム３の前部３ａが戻し回動させられることになる。
【００４１】
このように、高弾性になっている横糸群８の高密度部が縦糸群９に前後方向のテンションを掛けることになっており、その結果、ばねのような戻し部材を設けなくても、座用フレーム３の前部３ａを自動的に戻し回動させることができるのである。
【００４２】
なお、実際には、人が着座した状態では縦糸群９にはテンションが掛かっているが、縦糸群９は側面視でく字状に屈曲した姿勢になっているため、座用ネット５の縦糸群９は、図４（Ａ）に黒抜き矢印で示すように座用フレーム３の前部３Ａを引き起こす作用も果たすと考えられ、この引き起こし作用によっても、座用フレーム３の前部３ａはより確実に戻し回動すると考えられる。
【００４３】
なお、横糸群８に高密度部が存在しない場合は、座用フレーム３の前部の下向き回動によって縦糸群９は全体として沈み勝手になるだけであるため、着座によって縦糸群９に掛かったテンションが座用フレーム３の前部３ａを引き起こす作用をなすことは基本的にはないと考えられる。
【００４４】
（２）．第２実施形態（図５）
座用フレーム３の前部３ａは過度に大きく下向き回動させる必要はなく、着座した人の大腿部への突き上げ感をなくせる程度だけ回動できれば良い。従って、前部３ａの下向き回動角度を規制するストッパー手段を設けるのが好ましい。
【００４５】
このストッパー手段の一例として、図５（Ａ）では、座用フレーム３における前部３ａの後ろ向き突出部１０の後端面のうちその下部１０ａを斜めにカットして、この下部１０ａと本体部３ｂの切欠き部１１との間に側面視で下向きに開口したＶ溝を形成している。
【００４６】
他のストッパー手段としては、例えば、前部３ａの下面に、本体部３ａの下面に沿って後方に延びるストッパーを突設し、前部３ａがある程度下向き回動するとストッパーが本体部３ａの下面に当たるように設定することも可能である。
【００４７】
この図５（Ａ）の実施形態では、座用フレーム３の前部３ａの上向き回動阻止手段として、前部３ａの後ろ向き凸部１０に、本体部３ｂにおける切欠き部１１の上部に当たるストッパー部１０ｂを形成している。
【００４８】
このように上向き回動阻止手段を設けると、座板１の前部を掴んで持ち上げても座１の姿勢は保持されるため、例えば座板１の前部と背もたれとを掴んで椅子を持ち上げることを安全に行える利点がある。
【００４９】
座用フレーム３の前部３ａの回動範囲を規制する手段としては、図５（Ｂ）に示すように、本体部３ａに規制ピン１２を設け、前部３ａの後ろ向き突起１０に円弧状長孔１２′を設けるなどしても良い（前部３ａにピン１２を設けて本体部３ａに長孔１２′を設けても良い）。もちろん、他の構造も採用できる。
【００５０】
（３）．第３実施形態（図６〜図７）
図６〜図７では第３実施形態を示している。図６は一部破断平面図、図７は図６の　ＶＩＩ−ＶＩＩ視断面図である。
【００５１】
この第３実施形態は、座用フレーム３の前部３ａを本体部３ｂに対してインサート成形によって一体成形したもので、前部３ａは撓み変形可能な軟質合成樹脂から成っている。
【００５２】
本体部３ｂに対する前部３ａの取り付け強度を確保するため、本体部３ｂの前端には突起１３を設けている。なお、本体部３ｂは合成樹脂製でも良いし、金属製でも良い。また、前部３ａのうち左右長手の部分は硬質材として、前後方向に伸びる左右側部だけを軟質材製としても良い（座の保形性の点からはこのような構造が好ましい）。
【００５３】
（４）．第４実施形態（図８）
図８に示すのは、座用フレーム３の前部３ａは非弾性構造であり、本体部３ｂと前部３ａとを両者に埋設した板バネ１４で連結することにより、前部３ａが下向き回動することを許容している。
【００５４】
着座した人の大腿部で座１の前端が下向きに押された場合、座用フレーム３の前部３ａにはモーメントが作用するため、当該前部３ａは軽い力で下向き回動することになり、このため、着座した人は、違和感（圧迫感）を感じることなく座用フレーム３の前部３ａを下向き回動させることができる。
【００５５】
（５）．第５実施形態（図９）
フレーム構造の背もたれ２において、ロッキング姿勢のときに例えば背用フレーム４の上部で背中が圧迫される現象が生じる場合は、図９に概略を示すように、背用フレーム４の上部４ａを本体部に対して後傾動可能に連結したら良い。
【図面の簡単な説明】
【図１】第１実施形態に係る椅子の座体の斜視図である。
【図２】座の一部破断平面図である。
【図３】座の一部破断平面図である。
【図４】（Ａ）は図３のＩＶ−ＩＶ視断面図、　（Ｂ）は作用説明用の図である。
【図５】第２実施形態を示す図である。
【図６】第３実施形態の一部破断平面図である。
【図７】図６の　ＶＩＩ−ＶＩＩ視断面図である。
【図８】第４実施形態の側断面図である。
【図９】第５実施形態の側面図である。
【符号の説明】
１　座
２　背もたれ
３　座用フレーム
３ａ　前部
３ｂ　本体部
４　背用フレーム
５　座用ネット
６　背用ネット
５ｂ　座用ネットの前寄り部（高弾性部）
７　ピン
８　横糸群
９　縦糸群
【図１】
2004033543.tif 000003
【図２】
2004033543.tif 000004
【図３】
2004033543.tif 000005
【図４】
2004033543.tif 000006
【図５】
2004033543.tif 000007
【図６】
2004033543.tif 000008
【図７】
2004033543.tif 000009
【図８】
2004033543.tif 000010
【図９】
2004033543.tif 000011